(57)【要約】【課題】文化財画作品の描画層を担体から転移させる時に描画層に損傷を与えない程度の強度を有し、描画層の表面を視認可能な透明性を有し、描画層から剥がす時に描画層に損傷を与えない程度の柔軟性を有する表打ち材料、及びそれを用いた文化財画作品修復方法を提供する。【解決手段】担体及びその表面に設けられた描画層を有する文化財画作品に貼り付け、上記描画層を上記担体から転移させるのに使用する表打ち材料であって、積層した透明プラスチックフィルム10からなる表打ち材料。【選択図】図１
2008279643.tif 000002
【特許請求の範囲】
【請求項１】
担体及びその表面に設けられた描画層を有する文化財画作品に貼り付け、前記描画層を前記担体から転移させるのに使用する表打ち材料であって、積層した透明プラスチックフィルムからなることを特徴とする文化財画作品用表打ち材料。
【請求項２】
請求項１に記載の文化財画作品用表打ち材料において、前記透明プラスチックフィルムは、ポリエステル、ポリスチレン、ポリオレフィン、ポリウレタン、ポリアクリルウレタン、セルローストリアセテート、ポリビニルアルコール、ポリカーボネート、アイオノマー樹脂及びポリ塩化ビニルからなる群から選ばれた少なくとも一種の透明樹脂からなることを特徴とする文化財画作品用表打ち材料。
【請求項３】
請求項１又は２に記載の文化財画作品用表打ち材料において、前記透明プラスチックフィルムの層間に、セルロース誘導体及び／又は布海苔からなる接着層を有し、前記透明プラスチックフィルムは一枚毎に剥離可能であることを特徴とする文化財画作品用表打ち材料。
【請求項４】
請求項３に記載の文化財画作品用表打ち材料において、前記セルロース誘導体はハイドロキシプロピルセルロース及び／又はメチルセルロースからなることを特徴とする文化財画作品用表打ち材料。
【請求項５】
請求項１〜４のいずれかに記載の文化財画作品用表打ち材料において、前記透明プラスチックフィルムの厚さは５〜500μmであることを特徴とする文化財画作品用表打ち材料。
【請求項６】
請求項１〜５のいずれかに記載の文化財画作品用表打ち材料において、前記文化財画作品は、(1) 石壁を前記担体として有し、彩色材料を用いて絵画又は模様が描かれた漆喰製下地を前記描画層として有する古墳壁画、(2) 木製材料を前記担体として有し、少なくとも彩色材料を含み、絵画又は模様を有する層を前記描画層として有する板絵、及び(3) 少なくとも肌裏紙を含む裏打ち層を前記担体として有し、少なくとも彩色材料を用いて絵、模様又は文字が描かれた本紙を前記描画層として有する書画のいずれかであることを特徴とする文化財画作品用表打ち材料。
【請求項７】
担体及びその表面に設けられた描画層を有する文化財画作品を修復する方法であって、少なくとも(1) 積層した透明プラスチックフィルムからなる表打ち材料を前記描画層に貼り付ける工程、(2) 前記描画層を前記担体から剥離させて前記表打ち材料上に転移させる工程、(3) 前記表打ち材料上に転移させた描画層に裏打ち層を設ける工程、及び(4) 前記裏打ち層を設けた描画層から前記表打ち材料を除去する工程を有し、(5) 前記工程(2)と(3)の間に、前記表打ち材料に支持させた状態で前記描画層を修復する工程を行うか、(6) 前記工程(4)の後、前記裏打ち層に支持させた状態で前記描画層を修復する工程を行うか、前記工程(5)及び(6)の両方を行うことを特徴とする文化財画作品修復方法。
【請求項８】
請求項７に記載の文化財画作品修復方法において、前記表打ち材料の透明プラスチックフィルムは、ポリエステル、ポリスチレン、ポリオレフィン、ポリウレタン、ポリアクリルウレタン、セルローストリアセテート、ポリビニルアルコール、ポリカーボネート、アイオノマー樹脂及びポリ塩化ビニルからなる群から選ばれた少なくとも一種の透明樹脂からなることを特徴とする方法。
【請求項９】
請求項７又は８に記載の文化財画作品修復方法において、前記表打ち材料は、前記透明プラスチックフィルムの層間に、セルロース誘導体及び／又は布海苔からなる接着層を有し、前記透明プラスチックフィルムが一枚毎に剥離可能であることを特徴とする方法。
【請求項１０】
請求項９に記載の文化財画作品修復方法において、前記セルロース誘導体はハイドロキシプロピルセルロース及び／又はメチルセルロースからなることを特徴とする方法。
【請求項１１】
請求項７〜10のいずれかに記載の文化財画作品修復方法において、前記表打ち材料の透明プラスチックフィルムの厚さは５〜500μmであることを特徴とする方法。
【請求項１２】
請求項７〜11のいずれかに記載の文化財画作品修復方法において、前記工程(1)を、セルロース誘導体及び／又は布海苔からなる接着層を介して、前記描画層に前記表打ち材料を貼り付けることにより行うことを特徴とする方法。
【請求項１３】
請求項12に記載の文化財画作品修復方法において、前記セルロース誘導体はハイドロキシプロピルセルロース及び／又はメチルセルロースからなることを特徴とする方法。
【請求項１４】
請求項７〜13のいずれかに記載の文化財画作品修復方法において、前記工程(4)の前記表打ち材料の除去を、最外側の前記透明プラスチックフィルムから一枚ずつ順に剥離させることにより行うことを特徴とする方法。
【請求項１５】
請求項14に記載の文化財画作品修復方法において、前記透明プラスチックフィルムを剥離させる速度を0.5〜10 mm／秒とすることを特徴とする方法。
【請求項１６】
請求項７〜15のいずれかに記載の文化財画作品修復方法において、前記文化財画作品は、(1) 石壁を前記担体として有し、彩色材料を用いて絵画又は模様が描かれた漆喰製下地を前記描画層として有する古墳壁画、(2) 木製材料を前記担体として有し、少なくとも彩色材料を含み、絵画又は模様を有する層を前記描画層として有する板絵、及び(3) 少なくとも肌裏紙を含む裏打ち層を前記担体として有し、少なくとも彩色材料を用いて絵、模様又は文字が描かれた本紙を前記描画層として有する書画のいずれかであることを特徴とする方法。
【発明の詳細な説明】
【技術分野】
【０００１】
本発明は、古墳壁画、洞窟壁画、板絵、書画等の文化財画作品の修復時に使用する表打ち材料及びそれを用いた文化財画作品修復方法に関する。
【背景技術】
【０００２】
古墳壁画、洞窟壁画、板絵、書画等の文化財画作品は、美術史上重要である。しかし、例えばキトラ古墳の壁画の現状を挙げると、絵画が描かれた漆喰層（描画層）の多くの部分が石壁（担体）から剥離しており、落下する危険性が高い。また掛軸、巻子、屏風、襖等の書画は、絵や文字が描かれた本紙（描画層）と裏打ち層（担体）とが部分的に剥離していることが多い。裏打ち層が剥離していると、本紙に凹凸が生じ易く、このことが巻き解きの際に本紙が擦れる原因となる。絹本絵画の場合、本紙料絹から膠の膠着力が失われると、裏彩色層の剥離や、料絹の欠失の原因となる。そのため傷んだ文化財画作品を早急に修復し、保存を図る必要がある。
【０００３】
そこで、壁画の剥離した描画層と担体とを接着する方法が提案されている。例えば、バーミヤーン仏教壁画の修復方法として、消石灰及びセルロースパルプを主成分とする充填材、並びにメチルセルロース、アクリル樹脂及びセルロースパルプを主成分とする充填材を、岩盤と描画層（顔料及び膠着材の混合物）との間隙に埋める方法が提案されている（大竹秀実、谷口陽子、青木繁夫、「バーミヤーン仏教壁画の保存修復(1)―グラウティングによる応急処置―」、保存科学、No.45、pp.17-24（2006）、独立行政法人国立文化財機構東京文化財研究所発行：非特許文献１）。
【０００４】
しかし、漆喰層を有する古墳壁画を接着法により修復する場合、(1) 広範囲に剥離した漆喰層の裏側に万遍なく接着剤を塗布するのは困難であり、十分に接着できない、(2) 将来接着剤が漆喰層表面に滲み出して汚れが生じる可能性がある、(3) 剥離した漆喰層と石壁の間隙に、安全に除去するのが困難な岩石片、カビ胞子等が存在し、これらを除去しないまま接着すると、漆喰層に新たな亀裂が生じたり、内部からカビが生じたりする可能性があるといった問題がある。
【０００５】
そこで、漆喰層を石壁から剥ぎ取って石室の外で保存処理する方法が検討されている。具体的な剥ぎ取り作業は、壁画の損傷を防止するため、漆喰層の表面に合成樹脂を塗布し、レーヨン紙及び和紙の積層体を貼る表打ちを行った後、漆喰層の割れ目にヘラを入れて漆喰層を外す手順で行われる［例えば“奈良・キトラ古墳「白虎」前脚はぎ取り成功”、(online)、2005年５月25日、読売新聞、（平成19年３月15日検索）、インターネット＜URL：http://osaka.yomiuri.co.jp/inishie/news/is50525a.htm＞：非特許文献２］。
【０００６】
レーヨン紙及び和紙の積層体からなる表打ち材料は、壁画を転移させる時に漆喰層に損傷を与えない程度の強度を有し、漆喰層から剥がす時に漆喰層に損傷を与えない程度の柔軟性を有する。しかし漆喰層の表面にレーヨン紙及び和紙を貼ると、剥ぎ取られる漆喰層の状況、剥ぎ取り作業の進行状況等が表側から視認できないという問題がある。
【０００７】
一方、書画を修復する場合、裏打ち層を取り替える方法がとられている。裏打ち層を除去する方法の一つとして、本紙の損傷を防ぐために、本紙の表面全体にレーヨン紙を接着する表打ちを行った後、裏打ち層を除去する方法がある（例えば“肌裏紙の除去について”、(online)、株式会社岡墨光堂、（平成19年３月15日検索）、インターネット＜URL：http://www.bokkodo.co.jp/gijutsu_hadaura.html＞：非特許文献３）。
【０００８】
裏打ち層を除去した本紙を修復する場合、本紙の裏側から修復する。しかし表打ち材料としてレーヨン紙を用いると、修復される絵の状況、修復作業の進行状況等を、本紙の表側から視認できず、修復作業が困難であり、熟練した技術を要する。また肌裏紙（本紙に直接接着する裏打ち）にも模様や絵が描かれている場合、新たな肌裏紙の絵と本紙の絵の位置合わせをしなければならないが、本紙の表側から視認できないので、位置合わせの微調整が困難であった。
【０００９】
よって、文化財画作品の描画層を担体から転移させるのに使用する表打ち材料には、転移させる時に描画層に損傷を与えない程度の強度を有し、描画層の表面を視認可能な透明性を有し、描画層から剥がす時に描画層に損傷を与えない程度の柔軟性を有することが求められる。
【００１０】
【非特許文献１】大竹秀実、谷口陽子、青木繁夫、「バーミヤーン仏教壁画の保存修復(1)―グラウティングによる応急処置―」、保存科学、No.45、pp.17-24（2006）、独立行政法人国立文化財機構東京文化財研究所発行
【非特許文献２】“奈良・キトラ古墳「白虎」前脚はぎ取り成功”、(online)、2005年５月25日、読売新聞、（平成19年３月15日検索）、インターネット＜URL：http://osaka.yomiuri.co.jp/inishie/news/is50525a.htm＞
【非特許文献３】“肌裏紙の除去について”、(online)、株式会社岡墨光堂、（平成19年３月15日検索）、インターネット＜URL：http://www.bokkodo.co.jp/gijutsu_hadaura.html＞
【発明の開示】
【発明が解決しようとする課題】
【００１１】
従って、本発明の目的は、文化財画作品の描画層を担体から転移させる時に描画層に損傷を与えない程度の強度を有し、描画層の表面を視認可能な透明性を有し、描画層から剥がす時に描画層に損傷を与えない程度の柔軟性を有する表打ち材料、及びそれを用いた文化財画作品修復方法を提供することである。
【課題を解決するための手段】
【００１２】
上記目的に鑑み鋭意研究の結果、本発明者らは、積層した透明プラスチックフィルムからなる表打ち材料は、文化財画作品の描画層を担体から転移させる時に描画層に損傷を与えない程度の強度を有し、描画層の表面を視認可能な透明性を有し、描画層から剥がす時に描画層に損傷を与えない程度の柔軟性を有することを見出し、本発明に想到した。
【００１３】
すなわち、本発明の表打ち材料は、担体及びその表面に設けられた描画層を有する文化財画作品に貼り付け、前記描画層を前記担体から転移させるのに使用する表打ち材料であって、積層した透明プラスチックフィルムからなることを特徴とする。
【００１４】
かかる表打ち材料において、前記透明プラスチックフィルムは、ポリエステル、ポリスチレン、ポリオレフィン、ポリウレタン、ポリアクリルウレタン、セルローストリアセテート、ポリビニルアルコール、ポリカーボネート、アイオノマー樹脂及びポリ塩化ビニルからなる群から選ばれた少なくとも一種の透明樹脂からなるのが好ましい。
【００１５】
前記透明プラスチックフィルムの層間に、セルロース誘導体及び／又は布海苔からなる接着層を設けるのが好ましく、これにより前記透明プラスチックフィルムは一枚毎に剥離可能となる。前記セルロース誘導体はハイドロキシプロピルセルロース及び／又はメチルセルロースからなるのが好ましい。前記透明プラスチックフィルムの厚さは５〜500μmであるのが好ましい。
【００１６】
本発明の文化財画作品修復方法は、担体及びその表面に設けられた描画層を有する文化財画作品を修復する方法であって、少なくとも(1) 積層した透明プラスチックフィルムからなる表打ち材料を前記描画層に貼り付ける工程、(2) 前記描画層を前記担体から剥離させて前記表打ち材料上に転移させる工程、(3) 前記表打ち材料上に転移させた描画層に裏打ち層を設ける工程、及び(4) 前記裏打ち層を設けた描画層から前記表打ち材料を除去する工程を有し、(5) 前記工程(2)と(3)の間に、前記表打ち材料に支持させた状態で前記描画層を修復する工程を行うか、(6) 前記工程(4)の後、前記裏打ち層に支持させた状態で前記描画層を修復する工程を行うか、前記工程(5)及び(6)の両方を行うことを特徴とする。
【００１７】
前記工程(1)を、セルロース誘導体及び／又は布海苔からなる接着層を介して、前記描画層に前記表打ち材料を貼り付けることにより行うのが好ましい。前記セルロース誘導体はハイドロキシプロピルセルロース及び／又はメチルセルロースからなるのが好ましい。
【００１８】
前記工程(4)の前記表打ち材料の除去を、最外側の前記透明プラスチックフィルムから一枚ずつ順に剥離させることにより行うのが好ましく、これにより前記描画層に損傷を与えずに前記表打ち材料を剥がすことができる。前記透明プラスチックフィルムを剥離させる速度を0.5〜10 mm／秒とするのが好ましい。
【００１９】
本発明の表打ち材料は、(1) 石壁を前記担体として有し、彩色材料を用いて絵画又は模様が描かれた漆喰製下地を前記描画層として有する古墳壁画、(2) 木製材料を前記担体として有し、少なくとも彩色材料を含み、絵画又は模様を有する層を前記描画層として有する板絵、及び(3) 少なくとも肌裏紙を含む裏打ち層を前記担体として有し、少なくとも彩色材料を用いて絵、模様又は文字が描かれた本紙を前記描画層として有する書画のいずれかの描画層を、転移させるのに好適である。
【発明の効果】
【００２０】
本発明の表打ち材料は、文化財画作品の描画層を担体から転移させる時に描画層に損傷を与えない程度の強度を有し、描画層の表面を視認可能な透明性を有し、描画層から剥がす時に描画層に損傷を与えない程度の柔軟性を有する。本発明の表打ち材料を用いると、描画層に損傷を与えずに、容易に文化財画作品を修復したり、保存したりすることができる。
【発明を実施するための最良の形態】
【００２１】
本発明の文化財用表打ち材料は、担体及びその表面に設けられた描画層を有する文化財画作品（例えば古墳壁画、洞窟壁画、板絵、書画等）に貼り付け、描画層を担体から転移させるのに使用する。ここで「担体」とは、描画層に直接接着して描画層を支持する層を意味する。担体は、石、土、木、紙、織物、金属等からなる。古墳壁画又は洞窟壁画の場合、例えば石壁、土壁等を担体として有し、板絵の場合、例えば木板、木箱、木柱等の木製材料を担体として有し、書画の場合、例えば少なくとも肌裏紙を含む裏打ち層を担体として有する。
【００２２】
「描画層」とは、彩色材料により描かれたり、彩色されたりした絵、模様及び文字を有し、担体に支持された層を意味する。描画層としては、例えば彩色材料のみからなる層、下地に彩色材料が含浸又は付着した層、彩色材料及び樹脂（例えば漆、膠等）からなる混合層、彩色材料及び砂又は岩石微粉からなる混合層、これらの表面に保護層を有するもの等が挙げられる。彩色材料としては、例えば顔料、染料、墨等の絵具；金属箔；金属粉等が挙げられる。彩色材料の下地としては、漆喰、白土、漆、紙、絹織物等からなる。保護層を構成する材料としては、漆、膠等が挙げられる。古墳壁画の場合、例えば絵具を用いて絵画が描かれた漆喰製下地を描画層（以下単に「描画漆喰層」とよぶことがある）として有し、洞窟壁画の場合、例えば絵具と膠の混合物を用いて形成された絵画又は模様を有する層を描画層として有し、板絵の場合、例えば絵具を含み、絵画又は模様を有する層（例えば漆又は膠を下地とする。以下各々「漆層」及び「膠層」とよぶことがある）を描画層として有し、書画の場合、例えば絵具、金箔等を用いて絵、模様、文字等が描かれた本紙を描画層として有する。
【００２３】
[1] 文化財画作品用表打ち材料
図１は本発明の文化財画作品用表打ち材料の一例を示す。表打ち材料１は、担体から転移させた描画層に損傷を与えないように剥がす必要があるので、柔軟性を有する透明プラスチックフィルム10の積層体により構成されており、描画層から剥がす時に最外側のフィルム10から一枚ずつ剥がす。図示の例では、表打ち材料１は、接着層11を介して積層された六枚の透明プラスチックフィルム10からなる。フィルム10は、その引き剥がしの開始が容易となるように、表打ち材料１の一方の端部が階段状となるように積層されている。
【００２４】
(a) 透明プラスチックフィルム
透明プラスチックフィルム10は無色透明であるのが好ましい。フィルム10を構成する透明樹脂は特に制限されず、例えばポリエステル、ポリスチレン、ポリオレフィン、ポリウレタン、ポリアクリルウレタン、セルローストリアセテート、ポリビニルアルコール、ポリカーボネート、アイオノマー樹脂、ポリ塩化ビニル等が挙げられる。中でもポリエステル、ポリスチレン、ポリオレフィン及びポリウレタンが好ましい。
【００２５】
ポリエステルフィルムは脂肪族系ポリエステル及び芳香族系ポリエステルの一方又は両方のいずれからなるものであってもよい。脂肪族系ポリエステルは、脂肪族ジオール及び脂肪族ジカルボン酸を主成分とする。脂肪族ジオール及び脂肪族ジカルボン酸の炭素数は２〜６が好ましい。脂肪族系ポリエステルの具体例として、ポリブチレンサクシネートが挙げられる。ポリブチレンサクシネートフィルムの市販品として、例えば「ビオノーレ」（昭和高分子株式会社製）が挙げられる。芳香族系ポリエステルは、脂肪族ジオール及び芳香族ジカルボン酸を主成分とする。脂肪族ジオールの炭素数は２〜６が好ましい。芳香族ジカルボン酸として、例えばテレフタル酸が挙げられる。芳香族系ポリエステルとしては、ポリエチレンテレフタレート及びポリブチレンテレフタレートが好ましい。ポリエチレンテレフタレートフィルムの市販品として、例えば「メリネックス」（帝人デュポンフィルム株式会社）が挙げられる。
【００２６】
ポリスチレンフィルムは、スチレン単独重合体、スチレン−ブタジエン共重合体、スチレン−アクリロニトリル共重合体及びこれらの混合物のいずれからなるものであってもよい。好ましくは、スチレン単独重合体又はこれとスチレン−ブタジエン共重合体の混合物である。ポリスチレンフィルムの市販品として、例えば「プラバン」（アクリサンデー株式会社）が挙げられる。
【００２７】
ポリオレフィンフィルムはポリエチレン及びポリプロピレンの一方又は両方のいずれからなるものであってもよい。ポリエチレン及びポリプロピレンは、単独重合体及び他のオレフィンとの共重合体のいずれでも良い。ポリエチレンが含んでも良い他のオレフィンとして、プロピレン、ブテン-1、ペンテン-1、ヘキセン-1、4-メチルペンテン-1、オクテン-1、酢酸ビニル、メタクリル酸メチル、スチレン等のα−オレフィン、ブタジエン、1,5-ヘキサジエン、1,7-オクタジエン、1,9-デカジエン等のジオレフィン等が挙げられる。ポリプロピレンが含んでも良い他のオレフィンとして、プロピレンを除く上記α−オレフィン及びジオレフィン、並びにエチレンが挙げられる。
【００２８】
ポリウレタンフィルムは公知のポリウレタンからなるもので良い。ポリウレタンとして、例えばジイソシアネート、ポリオール及び低分子ジオールを主成分として反応させたものが挙げられる。ジイソシアネートは脂肪族系及び芳香族系のいずれでもよい。ポリオールとしては、ポリエーテルポリオール及びポリエステルポリオールが好ましい。低分子ジオールは脂肪族系及び芳香族系のいずれでもよい。ポリウレタンフィルムの市販品として、例えば「ユニグランドXN」（日本ユニポリマー株式会社）が挙げられる。
【００２９】
透明プラスチックフィルム10は、透明性を損なわない限り、上記透明樹脂以外に熱可塑性エラストマー及び／又はゴムを含んでもよい。熱可塑性エラストマーは、オレフィン系、スチレン系、ウレタン系、ポリエステル系、ポリアミド系及び塩ビ系のいずれでもよい。オレフィン系エラストマーとして、例えばエチレン-プロピレン共重合体、エチレン-プロピレン-非共役ジエン共重合体等が挙げられる。ゴムとしては、ジエン系ゴム（例えばイソプレンゴム等）及び非ジエン系ゴム（例えばブチルゴム等）のいずれでもよい。
【００３０】
透明プラスチックフィルム10は、必要に応じて、可塑剤、酸化肪止剤や紫外線吸収剤等の安定剤、帯電防止剤、界面活性剤、流動性の改善のための潤滑剤、無機充填剤等の添加剤を適宜含有しても良い。
【００３１】
(b) 透明プラスチックフィルムの厚さ
フィルム10の柔軟性は、主として厚さを選択することにより調整する。フィルム10一枚当たりの厚さは、描画層の種類、傷み具合、フィルム10を構成する樹脂等に応じて適宜設定する。限定的ではないが、フィルム10一枚当たりの厚さは５〜500μmが好ましく、10〜400μmがより好ましい。特に古墳壁画の描画漆喰層や、板絵の漆層又は膠層を転移させる場合、フィルム10一枚当たりの厚さは10〜500μmが好ましく、50〜400μmがより好ましい。書画の本紙を転移させる場合、フィルム10一枚当たりの厚さは５〜300μmが好ましく、10〜250μmがより好ましい。
【００３２】
(c) 透明プラスチックフィルムの柔軟性
フィルム10は、作業環境（約０℃〜約40℃）において十分な柔軟性を有する必要がある。具体的には、フィルム10は、半径１mm程度の小さな曲率で湾曲させた場合でも折れが生じないのが好ましい。折れが生じると、文化財画作品を傷つける恐れがある。フィルム10はまた、二つ折りにした場合でも破断しない程度の強度を有するのが好ましい。
【００３３】
(d) 表打ち材料の厚さ
表打ち材料１の厚さ（フィルム10の合計厚）は、描画層を担体から転移させる時に描画層に損傷を与えない程度の強度であればよく、描画層の種類、傷み具合等に応じて適宜設定する。限定的ではないが、古墳壁画の描画漆喰層や、板絵の漆層又は膠層を転移させる場合、表打ち材料１の厚さは100〜3,000μmが好ましく、200〜2,400μmがより好ましい。限定的ではないが、書画の本紙を転移させる場合、表打ち材料１の厚さは10〜1,800μmが好ましく、20〜1,600μmがより好ましい。
【００３４】
(e) 層構成
フィルム10の材料及び厚さの組合せは特に制限されず、用途に応じて適宜設定する。例えば、古墳壁画の描画漆喰層を転移させるのに用いる場合、限定的ではないが、描画漆喰層側から、0.2 mm厚のポリエステルフィルム二層＋0.3 mm厚のポリスチレンフィルム四層からなる構成が挙げられる。書画の本紙を転移させるのに用いる場合、限定的ではないが、本紙側から、0.2 mm厚のポリウレタンフィルム三層＋0.2 mm厚のポリエステルフィルム二層＋0.2 mm厚のポリスチレンフィルム二層からなる構成が挙げられる。表打ち材料１の層数は、表打ち材料１の厚さ（フィルム10の合計厚）及びフィルム10一枚当たりの厚さの設定に応じて決まる。
【００３５】
(f) 接着剤
接着層11を形成する接着剤としては、フィルム10を剥がす時に描画層に損傷を与えない程度の接着力を有するものが好ましい。そのような接着剤として、セルロース誘導体、布海苔等が挙げられる。セルロース誘導体としてはハイドロキシプロピルセルロース及びメチルセルロースが好ましい。接着剤として、特開2005-336386号に記載の布海苔抽出物接着剤を使用してもよい。この接着剤は、布海苔を常温の水で抽出することにより得られる。これらの接着剤は、フィルム10に塗布する時に、溶媒により希釈した上で用いるのが好ましい。溶媒としては、接着剤を溶解するがフィルム10を溶解しないものが好ましい。そのような溶媒として、水及びエタノールが挙げられる。
【００３６】
[2] 文化財画作品修復方法
本発明の文化財画作品修復方法は、少なくとも(1) 文化財画作品の描画層に上記表打ち材料を貼り付ける工程、(2) 描画層を担体から剥離させて描画層を表打ち材料上に転移させる工程、(3) 表打ち材料上に転移させた描画層に裏打ち層を設ける工程、及び(4) 裏打ち層を設けた描画層から表打ち材料を除去する工程を有し、(5) 工程(2)と(3)の間に、表打ち材料に支持させた状態で描画層を修復する工程を行うか、(6) 工程(4)の後、裏打ち層に支持させた状態で描画層を修復する工程を行うか、工程(5)及び(6)の両方を行うことを特徴とする。以下文化財画作品修復方法について、古墳壁画、板絵及び書画を修復する場合を例にとり、詳細に説明する。
【００３７】
(a) 古墳壁画の修復方法
(i) 手順
古墳壁画は、石壁を担体としており、その上に設けられた漆喰製下地に絵画が描かれた描画層を有する。古墳壁画を保存する方法の一つとして、描画漆喰層を石壁から剥ぎ取った上で修復し、保存する方法がある。本発明の表打ち材料は、描画漆喰層を剥ぎ取る時に、その損傷防止（例えば顔料等の剥落防止）のために用いる。以下古墳壁画の修復方法について、図面を用いて詳細に説明する。
【００３８】
図２(a)に示すように、石壁３から剥ぎ取る描画漆喰層２に、接着層12を介して表打ち材料１を貼る。接着層12は、予め表打ち材料１の一面に接着剤を塗布し、形成する。接着剤は上記と同じでよい。表打ち材料１は、少なくとも剥ぎ取る描画漆喰層２の範囲をカバーする形状であればよい。図２(b)に示すように、描画漆喰層２に接着した表打ち材料１を、緩衝材70を介して、壁に固定した複数の長板状支持具７で押さえながら、ワイヤソー、へら、ナイフ等の切削具を用いて、石壁３から描画漆喰層２を除々に剥がす。切削具としてワイヤソーを使用する場合、図２(b)に示すように、石壁３と描画漆喰層２の界面においてダイヤモンドワイヤ６を走行させながら、ワイヤ６をその走行方向に対してほぼ直角方向に通過させるのが好ましい。
【００３９】
表打ち材料１は透明であるので、剥ぎ取る描画漆喰層２の状況、作業の進行状況等を視認しながら、剥ぎ取り作業を行うことができるという利点がある。そのため表打ち材料１を用いると、従来の不透明な紙からなる表打ち材料を用いる場合に比べて、剥ぎ取り作業が非常に容易となる。
【００４０】
図２(c)及び(d)に示すように、描画漆喰層２を転移させた表打ち材料１が落ちないように、長板状支持具７を順次除きながら、表打ち材料１の表面に、一面に接着層13を設けた支持板４を貼る。接着層13に用いる接着剤も上記と同じでよい。支持板４は、剛性が高く、軽量であるのが好ましい。具体的には、支持板４は、ポリプロピレン、ポリカーボネート等のプラスチックのダンボール構造体からなるのが好ましい。必要に応じて、支持板４を複数重ねてもよい。
【００４１】
図２(e)に示すように、描画漆喰層２、表打ち材料１及び支持板４の一体物を、石壁３から離隔し、水平に安置する。必要に応じて、表打ち材料１に支持させた状態で描画漆喰層２の裏面（石壁３に接していた面）から、クリーニング等の修復処理を施す。描画漆喰層２のクリーニング方法として、例えばレーザー光を照射する方法、過酸化水素水で酸化還元する方法等を用いることができる。
【００４２】
図２(f)に示すように、描画漆喰層２の裏面に、接着層14を介して、紙により裏打ち層５を設ける。紙としてはレーヨン紙及び和紙が好ましい。接着層14に用いる接着剤も上記と同じでよい。描画漆喰層２に損傷を与えないように、表打ち材料１から支持板４を除々に剥がした後、図２(g)に示すように、最外側のフィルム10から一枚ずつ順に剥がし、表打ち材料１を除く。柔軟なフィルム10を一枚ずつ剥がすことにより、描画漆喰層２に掛かる負荷を小さくできるので、描画漆喰層２に損傷を与えずに表打ち材料１を除去することができる。限定的ではないが、フィルム10を剥がす速度は0.5〜10 mm／秒が好ましく、１〜６mm／秒がより好ましい。特に描画漆喰層２に直接接着したフィルム10を剥がす速度は0.5〜３mm／秒が好ましく、１〜３mm／秒がより好ましい。フィルム10は、一端から一方向に剥がしても良いし、両端から剥がしても良い。必要に応じて、接着剤を溶解するがフィルム10を溶解しない溶媒を、フィルム10の層間やフィルム10と描画漆喰層２との間に注入し、接着層11及び12を溶解させながらフィルム10を剥がしても良く、これにより描画漆喰層２に掛かる負荷を一層小さくできる。特に描画漆喰層２に直接接着したフィルム10は、接着層12を溶媒に溶解させながら剥がすのが好ましい。そのような溶媒として、水及びエタノールが挙げられる。
【００４３】
表打ち材料１を除いた状態（図２(h)参照）とした後、裏打ち層５に支持させた状態で描画漆喰層２の表側からクリーニング等の修復処理を施すのが好ましい。クリーニング方法は上記と同じでよい。修復処理後の描画漆喰層２は、石壁３から分離した状態で保管室等で保存するか、石室の元の位置に貼り直した状態で保存するか、石壁３を解体した石材に貼り直して保管室等で保存する。
【００４４】
(ii) ワイヤソーによる描画漆喰層剥離方法
以下、ワイヤソーによる描画漆喰層剥離方法について詳細に説明する。図３〜５は、描画漆喰層剥離用ワイヤソー装置の一例を示す。この例の装置は、壁画を挟んで対向配置される一対の平行なレール100，100と、両レール100，100上のほぼ対向位置に設けられ、レール100，100に沿って移動自在な一対のスライダ200，200と、支持部材300を介して各スライダ200に支持され、ダイヤモンドワイヤ６の繰り出し及び巻き取りを行ってワイヤ６を走行させる一対のリール500，500と、リール500，500を駆動させる手段600，600と、各スライダ200に設けられたロール200a、210、220及び230とを有する。
【００４５】
リール500を駆動させる手段600としてはモータが好ましい。支持部材300，300は部材300aにより接続されている。そのためリール500，500は、レール100，100に沿って一体的に移動できる。レール100，100は、両端部が部材130，130により接続されて平行が保持されている。
【００４６】
各レール100の内側面には、その長手方向に延在する一対の対向する溝100a，100bが設けられている。スライダ200は、レール100の溝100a，100bにより移動自在に挟持された滑り板240を有している。そのためリール500，500は、レール100，100に沿ってスムーズに移動できる。またワイヤソー装置を配置する壁面の角度に関わらず、リール500，500がレール100，100に保持される。そのためワイヤソー装置は、側壁のみならず、天井壁に配置しても、支障なく使用できる。滑り板240の代わりに、溝100a，100bにより転動自在に挟持される車輪を設けてもよい。
【００４７】
スライダ200には、リール500側から順に、ガイドロール200a，210，220及び230が設けられている。ガイドロール200a，220及び230は、レール100，100と平行な軸線を有する。一対のガイドロール210，210は、ガイドロール200a及び230の軸線を通る面に対してほぼ垂直な軸線を有する。ガイドロール200a，210及び220には、ワイヤ６をガイドする溝が設けられている。最も壁面に近いガイドロール230の下面は、レール100，100の壁接触面110とほぼ同じ高さとなっている。このような四段のガイドロール200a，210，220及び230を設けることにより、レール100，100の壁接触面110，110を通る面とほぼ平行にワイヤ６を走行させることができ、また装置の運転中における描画漆喰層２の厚さ方向及びスライダ移動方向のワイヤ６のブレを抑制したり、ワイヤ６に適度な張力を掛けたりすることができる。ワイヤ６に掛ける張力（長さ当りの張力）は、0.5〜10 kgf/mの範囲内が好ましい。
【００４８】
ダイヤモンドワイヤ６の構造は特に制限されず、公知のものでよい。ダイヤモンドワイヤ６は、通常多数のダイヤモンドビーズを所定間隔で鋼製ワイヤの外周に固定した構造を有する。ダイヤモンドビーズは、鋼製ワイヤに金属バインダにより電着されていてもよいし、樹脂バインダを介して固着されていてもよい。限定的ではないが、ワイヤ６の直径は0.1〜0.5 mmが好ましい。ダイヤモンドビーズの粒径は10〜200μmが好ましい。ワイヤ６の長さは特に制限されず、剥離させる描画漆喰層２の面積に応じて適宜設定する。
【００４９】
レール100，100の間隔及び長さは、剥離させる描画漆喰層２の面積に応じて適宜設定する。レール100，100は壁面の形状に合わせた形状とすればよい。例えば装置を平らな壁面に配置する場合、図示の例のように、レール100，100は直線状でよい。装置をアーチ型の天井壁に配置する場合、レール100，100は配置部位の曲率に合わせた円弧状のものとすればよい。
【００５０】
図６に示すように、ワイヤソー装置を壁面に配置し、描画漆喰層２に接着した表打ち材料１を、緩衝材70を介して、複数の長板状支持具７で押さえる。ワイヤソー装置はボルト等を用いて石壁３に固定すればよい。長板状支持具７はレール100，100に設けられた穴120，120に差し込むことにより固定する。
【００５１】
駆動手段600により一方のリール500から繰り出されたワイヤ６は、スライダ200に設けられたガイドロール200a，210，220及び230を介して、石壁３と描画漆喰層２の界面に沿って走行し、ガイドロール230，220，210及び200aを介して、他方のリール500に巻き取られる。図６及び図７に示すように、石壁３と描画漆喰層２の界面においてダイヤモンドワイヤ６を走行させながら、スライダ200，200をレール100，100に沿って移動させ、ワイヤ６をその走行方向に対してほぼ直角方向に通過させると、描画漆喰層２を石壁３から剥がすことができる。走行するワイヤ６により、描画漆喰層２の石壁３に対する接触面に沿って描画漆喰層２が切削されるものと推測される。
【００５２】
限定的ではないが、描画漆喰層２の周囲の無地の漆喰層は、予めヘラ等を用いて除去しておくのが好ましく、これにより石壁３と描画漆喰層２の界面にワイヤ６を通すのが容易となる。この場合、ワイヤソー装置のレール100，100を、露出した石壁３上に配置すればよい。ただし必要に応じて、描画漆喰層２の周囲の無地の漆喰層を残した状態で、無地の漆喰層上にワイヤソー装置のレール100，100を配置してもよい。この場合、石壁３と描画漆喰層２の界面にワイヤ６を通すために、描画漆喰層２の近傍の無地の漆喰層の割れ目等からワイヤ６を挿入する。
【００５３】
ワイヤ６の走行速度は20〜100 m／分が好ましく、30〜60 ｍ／分がより好ましく、45〜55 m／分が特に好ましい。スライダ200，200の移動速度は、描画漆喰層２の厚さ、傷み具合等に応じて適宜設定する。スライダ200，200の移動速度は、５〜50 mm／分が好ましく、6〜30 mm／分がより好ましく、10〜20 mm／分がより特に好ましい。スライダ200，200は手動で移動させればよいが、必要に応じてモータ等の駆動手段を設けて電動で移動させてもよい。
【００５４】
(b) 板絵の修復方法
板絵は、絵馬、板戸、天井、板壁画、柱絵等の様々な形式を有するが、木製材料を担体としており、その上に描画層を有する。ただし板絵の描画層には、担体に直接設けられた絵具層からなるもの、漆、白土、紙等からなる下地に絵画や模様が描かれた層からなるもの等がある。描画層の木担体からの剥離が生じている場合、板絵を保存する方法の一つとして、描画層（描画された絵具層又は描画された下地）を木担体から剥ぎ取った上で修復し、保存する方法がある。
【００５５】
表打ち材料１を用いて、描画層の木担体からの剥ぎ取りを伴って板絵を修復し、保存する手順自体は、古墳壁画を修復し、保存する場合と同じでよいので、詳細な説明を省略する。ただし板絵の描画層のクリーニング方法としては、蒸留水及びエタノールを塗布した後、吸取紙で汚れを吸い取る方法が好ましい。必要に応じて、布海苔、膠、合成樹脂等を用いて描画層を補強しても良い。
【００５６】
(c) 書画の修復方法
紙、絹等に描かれた絵画、書跡等の書画の装訂には、掛軸装、巻子装、屏風装、襖装等がある。一般的に書画は、少なくとも肌裏紙（本紙に直接接着する裏打ち）を含む裏打ち層を担体としており、その上に絵、模様、文字等が描かれた本紙からなる描画層が設けられている。本紙の表側に表装を有する場合もある。本発明の表打ち材料は、書画を修復する時に、本紙を保護するために用いる。以下書画の修復方法について、図面を用いて詳細に説明する。
【００５７】
図８(a)に示すように、接着層15を介して本紙20の全面に表打ち材料１を貼る。接着層15に用いる接着剤は上記と同じでよい。表装を有する場合、表装を本紙20から取り外した後、本紙20に表打ち材料１を貼る。図８(b)に示すように、本紙20から裏打ち層30を剥がす。裏打ち層30を剥がすには、公知の方法を用いればよい。例えば裏打ち層30側から水分を浸透させ、本紙20と裏打ち層30の間の接着層16を溶解させた後、裏打ち層30を除去する方法を用いる。
【００５８】
図８(c)に示すように、表打ち材料１で支持した状態で本紙20を修復する。本紙20に見られる主な損傷は、虫損等による欠失や顔料の剥落である。欠失した部分は、修復用の紙や絹で補填し、補彩する。欠失部を補修する方法として、例えば特許第3335309号に記載の方法を利用することができる。特許第3335309号に従えば、(a) 本紙20の画像データから欠失部パターンのみを抽出した画像データを求め、(b) 欠失部パターンの画像データから補紙パターンの画像データを作成し、(c) 補紙パターンの画像データを出力装置より出力して開口シートを作成し、(d) 開口シート上に支持シートを重ね、紙繊維を含有するスラリーを注ぐことにより支持シート上に補紙を作成するか、開口シートに紙繊維を含有するスラリーを注ぐことにより補紙を作成し、(e) 補紙を本紙20の欠失部に充填することにより、欠失部を補修することができる。
【００５９】
顔料の剥落は、合成樹脂を用いて修理する。表打ち材料１は透明であるので、補紙の充填、補彩、合成樹脂による剥落止め等が施される本紙20の状況を、本紙20の表側から視認しながら、修復作業を行うことができるという利点がある。そのため表打ち材料１を用いると、従来の不透明な紙からなる表打ち材料を用いる場合に比べて、修復作業が非常に容易となる。
【００６０】
図８(d)に示すように、本紙20の裏面に、接着層16'を介して、少なくとも肌裏紙を含む裏打ち層30'を新たに設ける。接着層16'に用いる接着剤も上記と同じでよい。必要に応じて、肌裏紙の上に増肌裏紙及び総肌裏紙を設けてもよい。肌裏紙にも模様や絵が描かれている場合、本紙20の絵と肌裏紙の絵の位置合わせをしなければならないが、表打ち材料１は透明であるので、位置合わせの微調整が容易であるという利点がある。そのため表打ち材料１を用いると、従来の不透明な紙からなる表打ち材料を用いる場合に比べて、裏打ち作業が非常に容易となる。
【００６１】
裏打ち層30'を設けた後、図８(e)に示すように、最外側のフィルム10から一枚ずつ順に剥がし、表打ち材料１を除く。フィルム10を剥がす速度は上記と同じでよい。上記と同様に、接着剤を溶解するがフィルム10を溶解しない溶媒により、接着層11及び15を溶解させながら、フィルム10を剥がしても良い。表打ち材料１を除いた状態（図８(f)参照）とした後、必要に応じて本紙20の表側から修復処置を行ってもよい。修復方法は上記と同じでよい。
【００６２】
以上の通り、図面を参照して本発明の文化財画作品用表打ち材料及びそれを用いた文化財画作品修復方法を説明したが、本発明はそれに限定されず、その趣旨を変更しない限り種々の変更を加えることができる。
【図面の簡単な説明】
【００６３】
【図１】本発明の文化財画作品用表打ち材料の一例を示す断面図である。
【図２（ａ）】図１の表打ち材料を描画漆喰層に貼り付けた状態を示す断面図である。
【図２（ｂ）】描画漆喰層を石壁から剥離させる様子を示す断面図である。
【図２（ｃ）】描画漆喰層を転移させた表打ち材料に支持板を貼る様子を示す断面図である。
【図２（ｄ）】描画漆喰層を転移させた表打ち材料に支持板を貼り付けた状態を示す断面図である。
【図２（ｅ）】描画漆喰層、表打ち材料及び支持板の一体物を、石壁から離隔した状態を示す断面図である。
【図２（ｆ）】描画漆喰層に裏打ち層を設けた状態を示す断面図である。
【図２（ｇ）】描画漆喰層から表打ち材料を剥離する様子を示す断面図である。
【図２（ｈ）】描画漆喰層から表打ち材料を除去した状態を示す断面図である。
【図３】描画漆喰層剥離用ワイヤソー装置の一例を示す平面図である。
【図４】図３のワイヤソー装置の斜視図である。
【図５】図３のワイヤソー装置の部分拡大斜視図である。
【図６】図３のワイヤソー装置により描画漆喰層を石壁から剥離させる様子を示す斜視図である。
【図７】図３のワイヤソー装置により描画漆喰層を石壁から剥離させる様子を示す平面図である。
【図８】図１の表打ち材料を用いて書画を修復する手順を示す断面図であって、(a)は本紙に表打ち材料を貼り付けた状態を示し、(b)は本紙から裏打ち層を剥がす様子を示し、(c)は本紙から裏打ち層を剥がした状態を示し、(d)は本紙に新たな裏打ち層を設けた状態を示し、(e)は本紙から表打ち材料を剥離させる様子を示し、(f)は本紙から表打ち材料を除去した状態を示す。
【符号の説明】
【００６４】
１・・・表打ち材料
10・・・透明プラスチックフィルム
11・・・接着層
２・・・描画漆喰層
３・・・石壁
４・・・支持板
５・・・裏打ち層
６・・・ダイヤモンドワイヤ
７・・・長板状支持具
12，13，14，15，16，16'・・・接着層
20・・・本紙
30・・・裏打ち層
70・・・緩衝材
100・・・レール
100a，100b・・・溝
110・・・壁接触面
120・・・穴
130・・・接続部材
200・・・スライダ
200a，210，220，230・・・ロール
240・・・滑り板
300・・・支持部材
300a・・・接続部材
500・・・リール
600・・・駆動手段
【図１】
2008279643.tif 000003
【図２（ａ）】
2008279643.tif 000004
【図２（ｂ）】
2008279643.tif 000005
【図２（ｃ）】
2008279643.tif 000006
【図２（ｄ）】
2008279643.tif 000007
【図２（ｅ）】
2008279643.tif 000008
【図２（ｆ）】
2008279643.tif 000009
【図２（ｇ）】
2008279643.tif 000010
【図２（ｈ）】
2008279643.tif 000011
【図３】
2008279643.tif 000012
【図４】
2008279643.tif 000013
【図５】
2008279643.tif 000014
【図６】
2008279643.tif 000015
【図７】
2008279643.tif 000016
【図８】
2008279643.tif 000017